(57)【特許請求の範囲】
【請求項１】
回転操作により放射線源を交換可能な複数の放射線源を備えた照射装置であって、
放射線源遮蔽体、回転式放射線源選択装置、プランジャー放射線源操作棒、制御装置からなり、
放射線源遮蔽体は、回転式放射線源選択装置収容縦孔、放射線源照射口を備えて、該回転式放射線源選択装置収容縦孔に回転式放射線源選択装置を垂直軸周りに回転可能に収容し、
回転式放射線源選択装置は、機械腕、レバー式位置決め装置、制御装置、上記放射線源照射口に相対する照射位置及び該照射口から退避した予備照射位置を具えたプランジャー管及びプランジャー放射線源操作棒を収容する１以上の縦孔を設けて、これらの縦孔の一部或いは全部の各々に１本のプランジャー管及びプランジャー放射線源操作棒を収容し、
プランジャー放射線源操作棒は、放射線源を収容したプランジャー放射線源箱、ハンドル、漏れ止めリング、上部遮蔽体、放射線源箱及び下部遮蔽体からなり、
制御装置は、タイマー、変位コントロール、微動作操作装置からなる、
ことを特徴とする複数の放射線源を備えた放射線照射装置。
【請求項２】
上記放射線源遮蔽体は、上面に該回転式放射線源選択装置収容縦孔を開口して、その内部に回転式放射線源選択装置を収容すると共に、外側壁に放射線を放射する照射口を設けてなり、
下方には回転式放射線源選択装置に対する動力伝送軸を挿通する穴を設けてなる、ことを特徴とする請求項１記載の複数の放射線源を備えた放射線照射装置。
【請求項３】
上記選択回転式放射線源選択装置は、回転軸となる垂直軸の周りに配列された一以上のプランジャー管にプランジャー放射線源操作棒を収容することにより、その交換操作を装置上方からの操作により行うことを可能としたことを特徴とする請求項１記載の複数の放射線源を備えた放射線照射装置。
【請求項４】
上記プランジャー放射線源操作棒は、機械腕により把持されるハンドル、及びそれ以下順に、漏れ止めリング、上部遮蔽体、放射線源箱及び下部遮蔽体から構成され、プランジャー管の上方から回転式放射線源選択装置中に挿入可能としたことを特徴とする請求項１記載の複数の放射線源を備えた放射線照射装置。
【請求項５】
上記放射線源照射口は区画された構造からなり、プランジャー放射線源操作棒下方の遮蔽作用の不十分な遮蔽体を通る他の放射線源などからの散乱放射線の漏洩を防止してなることを特徴とする請求項１記載の複数の放射線源を備えた放射線照射装置。
【請求項６】
上記機械腕によりプランジャー放射線源操作棒を上下昇降操作することによって、放射線源を照射口に対して位置決めすることを特徴とする請求項１記載の複数の放射線源を備えた放射線照射装置。
【請求項７】
上記放射線源遮蔽体、回転式放射線源選択装置、及びプランジャー放射線源操作棒を重金属材料でカバーしてなることを特徴とする請求項１記載の複数の放射線源を備えた放射線照射装置。
【請求項８】
上記レバー式位置決め装置は、その微同調操作により放射線源選択装置の位置決めをより正確にすることを可能としたことを特徴とする請求項１記載の複数の放射線源を備えた放射線照射装置。
【請求項９】
上記機械腕は、上記のプランジャー放射線源操作棒を縦孔に収容した構成により、停電などによって動力源を失っても重力作用により放射線源を照射予備位置に復帰可能としたことを特徴とする請求項１記載の複数の放射線源を備えた放射線照射装置。
【請求項１０】
上記制御装置は、放射線源照射時間、放射線源選択装置の起動、機械腕の操作を行うことを特徴とする請求項１記載の複数の放射線源を備えた放射線照射装置。
【発明の詳細な説明】
【技術分野】
【０００１】
本発明は、複数の放射線源を備えた放射線照射装置、特に回転操作と昇降操作により放射線源を選択して照射操作を行う放射線照射装置である。
【背景技術】
【０００２】
この複数の放射線源を供えた放射線照射装置は、照射実験や装置の補修に広範囲に応用される。放射線照射装置において放射線源を選択し、照射位置に移送する方法には概ね二つのタイプがあり、一つはガス圧により移送するタイプで、もう一つはシリンダー操作により移送するタイプである。以下に図1と図2を参照して、その主な問題点を説明する。
図１は、ガスパイプ通路式複数の放射線源照射装置の説明図である。放射線源選択装置3は、使用しようとする放射線源８を左側の照射口4に隣接する位置に移送して、そこで空気圧力で放射線源8を照射口4に押し込んで照射を開始する。
図２は、シリンダー通路式複数の放射線源照射装置の説明図である。その作用は図１と似ているが、放射線源8を照射口4に押し込む操作はシリンダーを利用する。
（1）放射線源遮蔽体1は、放射線源を収容し保管するスペースを有し、全体が高密度材料からなるもので、放射線漏洩防止作用を有するが、ガス通路管（あるいはシリンダー通路）17などは、中空構造となるために放射線の遮蔽作用が充分でなく、外部に漏洩しやすい。
【０００３】
（2）放射線源選択装置3は、放射線源をそれぞれ分離して相互の干渉を防止しながら、選択した放射線源61をガス通路管（あるいはシリンダー通路）17に移送するが、放射線源室空間16とガス通路管（あるいはシリンダー通路）17は、空間となって遮蔽不足のため他の放射線源からの干渉が生じる。特に放射線源が多数ある時、相互の放射線源の間の間隔が小さくなるため、この現象はより生じやすい。
【０００４】
（3）エアポンプ(あるいはシリンダー通路)15は、放射線源61を移送して照射位置へ移送するが、放射線源選択装置3の位置決めの不精確のため、放射線源61の角度が変動すると、ガス通路管（あるいはシリンダー通路）17の外れた位置に押し込まれる危険がある。
【０００５】
（4）放射線源は、一旦放射線源室16に送られると、その放射線被爆の危険のために取り出しも再配置のための作業も困難である。
【０００６】
（5）このようなケースとして、不意の停電などがあって圧送エアの圧力低下などが生じて放射線源が放射線源室に復帰できない、などがある。
【０００７】
故に上記の欠点は、この技術に熟知する技術者が極力、速やかに解決することが求められていた問題である。
【特許文献１】特開２００４−１０９８３５号公報
【発明の開示】
【発明が解決しようとする課題】
【０００８】
本発明は、放射線源をプランジャー式棒に組み込む構造とすることにより、複数の放射線源照射装置におけるシリンダーなどの空間からの輻射線漏れを防止することを課題とする。
【０００９】
本発明は、プランジャー式放射線源操作棒の構造の複数の放射線源照射装置により、放射線源室空間とシリンダー空間の放射線遮蔽作用の不足による放射線源の相互干渉を防止することを課題とする。
【００１０】
本発明は、レバー式位置決め装置と機械腕でプランジャー式放射線源操作棒を操作することにより、放射線源の脱落、などの危険を防止することを課題とする。
【００１１】
本発明は、上方から放射線源操作棒を取り出す構造とすることにより、放射線源の交換操作を、より容易にすることを課題とする。
【００１２】
本発明は、停電のため装置が操作不能になり放射線源が照射位置に滞留することになる危険を、重力によって放射線源を放射線源室に復帰させることを可能として防止することを課題とする。
【課題を解決するための手段】
【００１３】
本発明は、機器検査・補修や照射実験に応用される、一個又は数個の放射線源を組み合わせた照射装置を対象とする。
まず、放射線源遮蔽体１と回転式放射線源選択装置３によって放射線源が安全に収容・保管できる本体を形成し、その放射線源遮蔽体の上面には回転式放射線源選択装置収容縦孔２が設けられる。
放射線源遮蔽体の一側に回転式放射線源選択装置３を配置すると共に、一端側壁には放射線を放射するための照射口４を設け、また下方には回転式放射線源選択装置に対する動力伝送軸通孔が設けられる。
このうちのプランジャー式放射線源操作棒（図４参照）では、放射線源を上下二つの遮蔽構造に挟まれているため放射線の軸方向両端への放射を遮蔽して放射線漏れを防止し、放射線源の取り扱い操作における相互干渉を減少できる。
【００１４】
回転式放射線源選択装置は、複数の放射線源を仕切って配置し、レバー式の位置決め装置１０を回転操作して選択された放射線源を予備照射位置に正確に移送する。
【００１５】
区画された構造の照射口はプランジャー式放射線源操作棒の下方の不十分な遮蔽構造によって、プランジャー管から照射口に漏洩する他の放射線源の散乱放射線の妨害を防止する。
【００１６】
このようにして本発明の放射線源遮蔽体は、放射線源を安全に照射装置の中に収容・保管することができる。
【００１７】
放射線源操作棒を取り扱う機械腕装置は、放射線源を照射位置若しくは予備照射位置に移送するが、停電などにより動力源が働かないときにも重力の作用により機械腕は放射線源を照射位置から放射線を遮蔽できる予備照射位置に復帰させることができる。
【発明の効果】
【００１８】
本発明の装置は、放射線源を安全に収容、保存することが可能であり、放射線漏洩の虞がなく、他の放射線源からの漏洩放射線による相互干渉がなく、正確に位置決めすることが可能であり、安全な動作の下で放射線源の出し入れの容易な放射線照射装置である。
【実施例】
【００１９】
図３は、本発明の複数の放射線源照射装置の縦切断面図である。該複数の放射線源照射装置（図３）は放射線源遮蔽体1、回転式放射線源選択装置収容縦孔2、回転式放射線源選択装置3、照射口4、プランジャー管5、プランジャー放射線源操作棒6、プランジャー放射線源箱7、プランジャー放射線源8、機械腕9、レバー式位置決め装置10、制御装置11、照射位置12、及び予備照射位置13からなる。
【００２０】
また、該複数の放射線源照射装置の各構成要件の作用は次のとおりである。放射線源遮蔽体1は、鉛などの高比重元素を含み放射線漏洩を防止する。
回転式放射線源選択装置収容縦孔2は、プランジャー管5及びプランジャー放射線源操作棒6をセットし、回転式放射線源選択装置3はこれらを回転可能に収納し、放射線漏洩を防止する。
回転式放射線源選択装置3は、使用しようとする放射線源をセットしたプランジャー放射線源操作棒6を予備位置に移らせる。照射口4は、放射線源8からの放射線を外へ放射する開口であり、放射しないときには放射線が外部に出ないようにプラグで閉塞する。プランジャー管5は、回転式放射線源選択装置内でプランジャー放射線源操作棒6を収納し、プランジャー放射線源箱7は放射線源8を収納する。機械腕9は、プランジャー放射線源操作棒6の上端のハンドル６１を把持して上下に移送し、レバー式位置決め装置10はより精確に回転式放射線源選択装置3の操作位置を定位する。
図４に示すプランジャー放射線源操作棒は、ハンドル61、放射線漏れ止めリング62、上部遮蔽体63、放射線源箱64、下部遮蔽体65、及び放射線源66からなる。
【００２１】
制御装置１１は、タイマー、位置制御装置、微動操作装置を備え、照射時間の設定、回転式放射線源選択装置の制御、タイマーと同期して機械腕の操作が可能である。
【００２２】
本発明の放射線照射装置が作動していないときは、機体内の空間はプランジャー放射線源操作棒で閉塞された状態にあるため、これらに遮蔽されて放射線の漏洩は生じない。
【００２３】
本発明の放射線照射装置を作動させるとき、まず制御装置11で選択したい放射線源及び照射時間を設定する。スタートボタンを押すと、回転式放射線源選択装置3は直ちに選定されたプランジャー放射線源操作棒6を予備照射位置13に移送し、レバー式位置決め装置10で正確に位置決めすると、機械腕9はプランジャー放射線源操作棒のハンドル６１を把持し、放射線源を照射位置12へ引き上げて、タイマーの作動に合わせて照射が始まる。
【００２４】
待機中の放射線源の上部遮蔽体、及び使用中の放射線源の下部遮蔽体は照射が行われるときに使用されていない放射線源の漏洩による干渉を阻止することができる。
【００２５】
照射時間経過後、機械腕９は放射線源を予備照射位置13に移送して照射ローテーションを完了する。
【００２６】
本発明の放射線照射装置は、例え停電などにより動力操作ができなくなっても、重力の作用により機械腕を予備照射位置12から予備照射位置13に下降移送させることができる。
【図面の簡単な説明】
【００２７】
【図１】従来のガスパイプ通路式複数の放射線源照射装置の説明図。
【図２】他の従来のシリンダー通路式複数の放射線源照射装置の説明図。
【図３】本発明のプランジャー式複数の放射線源照射装置の切断面説明図。
【図４】本発明のプランジャー式放射線源操作棒の切断面説明図。
【符号の説明】
【００２８】
1放射線源遮蔽体
2放射線源選択装置収容縦孔
3放射線源選択装置
4照射口
5プランジャー管
6プランジャー放射線源操作棒
61ハンドル
62漏れ止めリング
63上部遮蔽体
64放射線源箱
65下部遮蔽体
66放射線源
7放射線源箱
8放射線源
9機械腕
10レバー式位置決め装置
11制御装置
12照射位置
13照射予備位置
14ガスパイプ通路
15エアポンプ
16放射線源室
17シリンダー通路
18シリンダー
【図１】
0004524228.tif 000002
【図２】
0004524228.tif 000003
【図３】
0004524228.tif 000004
【図４】
0004524228.tif 000005